(57)【要約】【課題】                緊急避難時に、救助袋を簡単に投下することができ、慣れない避難者が、如何に安全、迅速に、建物の避難開口部から救助袋の乗り込み口を経て救助袋内に入り込むことができる救助袋装置。【解決手段】            建物外壁３２の避難口３１に臨んで設けた固定収納枠体２０内に、救助袋１を収納し、収容した救助袋１に落下する切っ掛けとなる錘１９を設け、その錘を、建物外壁の外方に投擲する錘投擲手段５０を有する救助袋装置に関する。【選択図】              図１
2005237718.tif 000002
【特許請求の範囲】
【請求項１】
建物外壁の避難口に臨んで設けた固定収納枠体内に、収容した救助袋を伴って落下する錘を建物外壁の外方に投擲する錘投擲手段を設けてなる救助袋装置。
【請求項２】
請求項１に記載の救助袋装置において、錘を投擲する方向に付勢した錘投擲手段にストッパーを設け、ストッパーの解放と同時に錘を投擲するように設けてなる救助袋装置。
【請求項３】
請求項１又は２に記載の救助袋装置において、固定収納枠体に救助袋の落下直前に開放するカバー体を設け、カバー体の開放に伴って錘を投擲するように構成してなる救助袋装置。
【請求項４】
請求項２又は３に記載の救助袋装置において、固定収納枠体に設けた救助袋の落下時に解放するカバー体をストッパーとして錘投擲手段に当接せしめてなる救助袋装置。
【請求項５】
請求項３又は４に記載の救助袋装置において、カバー体が、板状体、蛇腹体、ベルト体、柵状体等からなる救助袋装置。
【請求項６】
請求項１乃至５のいずれかに記載の救助袋装置において、錘を自重により投擲する方向に付勢した錘投擲手段を設けてなる救助袋装置。
【請求項７】
請求項１乃至６のいずれかに記載の救助袋装置において、錘投擲手段が、回転腕部と、回転腕部の先端部に設けた錘を投擲可能に保持する錘保持部とからなる救助袋装置。
【請求項８】
請求項７に記載の救助袋装置において、回転腕部が長さ調整可能に設けてある救助袋装置。
【請求項９】
請求項７又は８に記載の救助袋装置において、錘保持部が、回転腕部にヒンジ状に一定回転可能に設けた外側と内側の２枚の保持部材からなる救助袋装置。
【請求項１０】
請求項９に記載の救助袋装置において、外側に対して内側の保持部材の方が長い投擲手段を設けてなる救助袋装置。
【請求項１１】
請求項９又は１０に記載の救助袋装置において、錘保持部の２枚の保持部材を開閉可能に設けてなる救助袋装置。
【請求項１２】
請求項７乃至１１に記載の救助袋装置において、回転腕部が外側に突出した湾曲部分を有する救助袋装置。
【請求項１３】
請求項１２に記載の救助袋装置において、回転腕部の外側に突出した湾曲部分にストッパーを避退可能に当接せしめてなる救助袋装置。
【請求項１４】
請求項２乃至９に記載の救助袋装置において、錘投擲手段を救助袋の投下に伴って建物外方に回転して張出する枠体の外側に設けてなる救助袋装置。
【請求項１５】
請求項１乃至１４に記載の救助袋装置において、錘が柔軟性を有する救助袋装置。
【請求項１６】
請求項１５に記載の救助袋装置において、錘が砂袋からなる救助袋装置。
【請求項１７】
請求項１乃至１６に記載の救助袋装置において、固定収納枠体内に階下の避難口に臨んで避難路袋体を有する救助袋を収納してなる救助袋装置。
【請求項１８】
請求項１７に記載の救助袋装置において、階下に錘投擲手段の遠隔操作手段を設けてなる救助袋装置。
【請求項１９】
請求項３乃至１８に記載の救助袋装置において、固定収納枠体に救助袋の落下直前に上方、下方又は左右側方向に開放するカバー体を設け、カバー体の開放に伴って錘を投擲するように構成してなる救助袋装置。
【発明の詳細な説明】
【技術分野】
【０００１】
本発明は、建物外壁の避難口に臨んで設けた固定収納枠体内に、救助袋を収納し、収容した救助袋に落下する切っ掛けとなる錘を設け、その錘を、建物外壁の外方に投擲する錘投擲手段を有する救助袋装置に関する。
【背景技術】
【０００２】
従来、緊急避難時に、建物の途中階の退避開口部に相当する位置に沿って柔軟な救助袋を建物最上階に設けた袋取付枠から垂下し、前記退避開口部に救助袋の乗り込み口が位置するようになした垂直式救助袋を退避開口部の下方の室内に折り畳んで収納し、非常時にこれを、動力を用いて退避開口部から外に投下するようになした垂直式救助袋の収納投下装置は知られている（特許文献１、２参照）。
【特許文献１】特開昭５３−６４９９９号
【特許文献２】特開２００３−１０３４７号公報
【特許文献３】特開昭５７−９４６３号公報
【発明の開示】
【発明が解決しようとする課題】
【０００３】
本発明が解決しようとする課題は、緊急避難時に、救助袋を簡単に投下することができ、慣れない避難者が、如何に安全、迅速に、建物の避難開口部から救助袋の乗り込み口を経て救助袋内に入り込むことができるかということである。
従来、緊急時に救助袋を短時間に正確に垂下することは相当に難しく、且つ、収納された救助袋が投下口より下方の室内に位置する場合には、相当の労力と時間を要し、動力で投下するには操作方法を知らない場合や停電した場合に問題があり、また、下の階から操作して上階に収納した救助袋を投下する更に難しい課題があった（特許文献１、２参照）。
また、従来、固定収納枠体内に救助袋の下端部からコイル状に巻いて収容し、救助袋を斜め下方に転がして建物外方に落下させる救助袋装置は知られているが、大掛かりで、設置が困難なばかりでなく、一動作で迅速に救助袋を展開するのが難しい課題があった（特許文献３）。
【課題を解決するための手段】
【０００４】
そこで、本発明は、請求項１に記載のように、建物外壁の避難口に臨んで設けた固定収納枠体内に、収容した救助袋を伴って落下する錘を建物外壁の外方に投擲する錘投擲手段を設けてなる救助袋装置を提供するものである。
また、本発明は、請求項２に記載のように、請求項１に記載の救助袋装置において、錘を投擲する方向に付勢した錘投擲手段にストッパーを設け、ストッパーの解放と同時に錘を投擲するように設けてなる救助袋装置を提供するものである。
【０００５】
また、本発明は、請求項３に記載のように、請求項１又は２に記載の救助袋装置において、固定収納枠体に救助袋の落下直前に開放するカバー体を設け、カバー体の開放に伴って錘を投擲するように構成してなる救助袋装置を提供するものである。
また、本発明は、請求項４に記載のように、請求項２又は３に記載の救助袋装置において、固定収納枠体に設けた救助袋の落下時に解放するカバー体をストッパーとして錘投擲手段に当接せしめてなる救助袋装置を提供するものである。
【０００６】
また、本発明は、請求項５に記載のように、請求項３又は４に記載の救助袋装置において、カバー体が、板状体、蛇腹体、ベルト体、柵状体等からなる救助袋装置を提供するものである。
また、本発明は、請求項６に記載のように、請求項１乃至５のいずれかに記載の救助袋装置において、錘を自重により投擲する方向に付勢した錘投擲手段を設けてなる救助袋装置を提供するものである。
【０００７】
また、本発明は、請求項７に記載のように、請求項１乃至６のいずれかに記載の救助袋装置において、錘投擲手段が、回転腕部と、回転腕部の先端部に設けた錘を投擲可能に保持する錘保持部とからなる救助袋装置を提供するものである。
また、本発明は、請求項８に記載のように、請求項７に記載の救助袋装置において、回転腕部が長さ調整可能に設けてある救助袋装置を提供するものである。
【０００８】
また、本発明は、請求項９に記載のように、請求項７又は８に記載の救助袋装置において、錘保持部が、回転腕部にヒンジ状に一定回転可能に設けた外側と内側の２枚の保持部材からなる救助袋装置を提供するものである。
また、本発明は、請求項１０に記載のように、請求項９に記載の救助袋装置において、外側に対して内側の保持部材の方が長い投擲手段を設けてなる救助袋装置を提供するものである。
【０００９】
また、本発明は、請求項１１に記載のように、請求項９又は１０に記載の救助袋装置において、錘保持部の２枚の保持部材を開閉可能に設けてなる救助袋装置を提供するものである。
また、本発明は、請求項１２に記載のように、請求項７乃至１１に記載の救助袋装置において、回転腕部が外側に突出した湾曲部分を有する救助袋装置を提供するものである。
【００１０】
また、本発明は、請求項１３に記載のように、請求項１２に記載の救助袋装置において、回転腕部の外側に突出した湾曲部分にストッパーを避退可能に当接せしめてなる救助袋装置を提供するものである。
また、本発明は、請求項１４に記載のように、請求項１乃至１３に記載の救助袋装置において、錘投擲手段を救助袋の投下に伴って建物外方に回転して張出する枠体の外側に設けてなる救助袋装置を提供するものである。
【００１１】
また、本発明は、請求項１５に記載のように、請求項１乃至１４に記載の救助袋装置において、錘が柔軟性を有する救助袋装置を提供するものである。
また、本発明は、請求項１６に記載のように、請求項１５に記載の救助袋装置において、錘が砂袋からなる救助袋装置を提供するものである。
また、本発明は、請求項１７に記載のように、請求項１乃至１６に記載の救助袋装置において、固定収納枠体内に階下の避難口に臨んで避難路袋体を有する救助袋を収納してなる救助袋装置を提供するものである。
また、本発明は、請求項１８に記載のように、請求項１７に記載の救助袋装置において、階下に錘投擲手段の遠隔操作手段を設けてなる救助袋装置を提供するものである。
また、本発明は、請求項１９に記載のように、請求項３乃至１８に記載の救助袋装置において、固定収納枠体に救助袋の落下直前に上方、下方又は左右側方向に開放するカバー体を設け、カバー体の開放に伴って錘を投擲するように構成してなる救助袋装置を提供するものである。
【発明の効果】
【００１２】
本発明に係る救助袋装置によれば、請求項１に記載のように、建物外壁の避難口に臨んで設けた固定収納枠体内に、収容した救助袋を伴って落下する錘を建物外壁の外方に投擲する錘投擲手段を設けてなる構成を有することにより、錘の落下に伴って救助袋をその下端部から順次に投下していくことができるから大掛かりな構造を不要とし、どのような避難口にも対応して救助袋装置を設置することができる効果があると共に、投擲手段により錘を建物外壁の外方に投擲することによって、錘が建物の避難口の壁体の厚さを越えて外方に確実に落下するから、錘が建物外壁上に落ちて引掛かる恐れが無く、固定収納枠体内から収納した救助袋を一動作で確実、迅速に落下させることができる効果がある。
【００１３】
また、本発明は、請求項２に記載のように、請求項１に記載の救助袋装置において、錘を投擲する方向に付勢した錘投擲手段にストッパーを設け、ストッパーの解放と同時に錘を投擲するように設けてなる構成を有することにより、ストッパーを解放することによって付勢した錘を速やかに投下することができ、一動作で迅速、確実に錘を落下させることができる効果がある。
また、本発明は、請求項３に記載のように、請求項１又は２に記載の救助袋装置において、固定収納枠体に救助袋の落下直前に開放するカバー体を設け、カバー体の開放に伴って錘を投擲するように構成してなることにより、カバー体の開放に伴って救助袋を確実に落下することができる効果がある。
【００１４】
また、本発明は、請求項４に記載のように、請求項２又は３に記載の救助袋装置において、固定収納枠体に設けた救助袋の落下時に解放するカバー体をストッパーとして錘投擲手段に当接せしめてなる構成を有することにより、ストッパーとしてのカバー体の除去と同時に間髪を入れずに錘を投擲することができる効果がある。
また、本発明は、請求項５に記載のように、請求項３又は４に記載の救助袋装置において、カバー体が、板状体、蛇腹体、ベルト体、柵状体等からなる構成を有することにより、救助袋装置の設置場所や構造に対応して種々のカバー体を選択することができる効果がある。
【００１５】
また、本発明は、請求項６に記載のように、請求項１乃至５のいずれかに記載の救助袋装置において、錘を自重により投擲する方向に付勢した錘投擲手段を設けてなる構成を有することにより、バネや動力を使用することなく錘を重力で付勢して投下することができるから、保守点検費用が少なく簡単な構造で故障することなく確実に作動させることができる効果がある。
【００１６】
また、本発明は、請求項７に記載のように、請求項１乃至６のいずれかに記載の救助袋装置において、錘投擲手段が、回転腕部と、回転腕部の先端部に設けた錘を投擲可能に保持する錘保持部とからなる構成を有することにより、錘を回転腕部の回転に伴って遠心力により放物線を描いて確実に投下することができる効果がある。
また、本発明は、請求項８に記載のように、請求項７に記載の救助袋装置において、回転腕部が長さ調整可能に設けてある構成を有することにより、設置場所から建物外方までの距離、建物外壁の厚さに応じて回転腕部の長さを調整して確実に錘を投下することができる効果がある。
【００１７】
また、本発明は、請求項９に記載のように、請求項７又は８に記載の救助袋装置において、錘保持部が、回転腕部にヒンジ状に一定回転可能に設けた外側と内側の２枚の保持部材からなる構成を有することにより、回転腕部の回転の最後に錘をヒンジ状に回転する保持部材によりスナッピーに投擲することができる効果がある。
また、本発明は、請求項１０に記載のように、請求項９に記載の救助袋装置において、外側に対して内側の保持部材の方が長い投擲手段を設けてなる構成を有することにより、外側より長い内側の保持部材により錘を確実に投擲することができる効果がある。
【００１８】
また、本発明は、請求項１１に記載のように、請求項９又は１０に記載の救助袋装置において、錘保持部の２枚の保持部材を開閉可能に設けてなる構成を有することにより、投擲後の保持部材を閉じて救助袋の投下の邪魔にならないようにすることができる効果がある。
また、本発明は、請求項１２に記載のように、請求項７乃至１１に記載の救助袋装置において、回転腕部が外側に突出した湾曲部分を有する構成により、錘保持部をストッパーやカバー体に当接しないように回転腕部の内側に位置して設置することができる効果がある。
【００１９】
また、本発明は、請求項１３に記載のように、請求項１２に記載の救助袋装置において、回転腕部の外側に突出した湾曲部分にストッパーを避退可能に当接せしめてなる構成を有することにより、錘保持部より外側に突出した回転腕部の湾曲部分でストッパーに当接することができ、錘保持部を自由に設計することができる効果がある。
また、本発明は、請求項１４に記載のように、請求項１乃至１３に記載の救助袋装置において、錘投擲手段を救助袋の投下に伴って建物外方に回転して張出する枠体の外側に設けてなる構成を有することにより、少なくとも救助袋の投下に伴って建物外方に回転して張出する枠体より先に錘を投下することができる効果があると共に、投下後には枠体の下側に位置するから避難の邪魔にならない効果がある。
【００２０】
また、本発明は、請求項１５に記載のように、請求項１乃至１４に記載の救助袋装置において、錘が柔軟性を有する構成を有することにより、錘が地面や外壁等に衝突したとしても損傷を与えない安全性が得られる効果があると共に、錘の形態を適宜に変形して保持することができる効果がある。
また、本発明は、請求項１６に記載のように、請求項１５に記載の救助袋装置において、錘が砂袋からなる構成を有することにより、取り扱いが容易で耐久性が高く、安価で安全な錘を提供することができる効果がある。
また、本発明は、請求項１７に記載のように、請求項１乃至１６に記載の救助袋装置において、固定収納枠体内に階下の避難口に臨んで避難路袋体を有する救助袋を収納してなる構成を有することにより、階上から投下した救助袋に階下の途中の避難口から乗り込んで避難することができる効果がある。
また、本発明は、請求項１８に記載のように、請求項１７に記載の救助袋装置において、階下に錘投擲手段の遠隔操作手段を設けてなる構成を有することにより、階下から錘投擲手段を遠隔操作により作動させて階下の避難口から避難することができる効果がある。
また、本発明は、請求項１９に記載のように、請求項３乃至１８に記載の救助袋装置において、固定収納枠体に救助袋の落下直前に上方、下方又は左右側方向に開放するカバー体を設け、カバー体の開放に伴って錘を投擲するように構成してなるから、上方に解放する場合には、錘投擲手段を早い時点で作動することが可能であり、下方に解放する場合には、自重で容易に落下させることが可能であり、側方向に解放する場合には、避難口の窓を利用することができる効果がある。
【発明を実施するための最良の形態】
【００２１】
以下図示する実施例に基づき本発明の実施の形態を説明する。
図１、図２、又は図３に記載の実施例の場合、救助袋１の筒状外装体４の上端部は、建物３０の避難口３１に臨んで固定された固定収納枠体２０から突出した四角形状の吊下枠１０の４隅部に外周支持索５の上端部を一体に固定することによって、垂下される。吊下枠１０は救助袋１の断面より小さく構成してあり、筒状外装体４の上端部は絞り込んだ形状で吊下枠１０に垂下される。
また、中央支持索３の上端部は吊下枠１０に交差して設けた取付枠部１１のほぼ中央に固定され、吊下枠１０の中心で中央支持索３を支持することができるように構成してある。なお、取付枠部１１は吊下枠１０を補強する部材でもある。
【００２２】
本発明に係る救助袋１は、図６及び図７に記載のように、帯状をなす布地２の一側縁２ａを強靱なロープ、ワイヤロープ、紐、ベルト等からなる中央支持索３に取り付け、他側縁２ｂを強靱且つ柔軟な筒状外装体４の内側に適宜な傾斜を持たせて縫い付け、更に、筒状外装体４の内側又は外側に強靱なロープ、ワイヤロープ、紐等からなる外周支持索５を取り付け、外周支持索５の上端部をそれぞれ建物上部の取り付け構造体である吊下枠１０に固定して筒状外装体４を建物外側に沿って垂下すると、筒状外装体４内に布地２の螺旋状の滑走路が形成され、建物３０の途中階の退避口３１に相対する位置の筒状外装体４の乗り込み口等から乗り込んだ降下者Ａが滑走路に沿って安全に降下することができるように構成してある。
【００２３】
この場合、筒状外装体４の半径を大幅に超える幅を有する布地２により幅の広い滑走路を形成することにより、柔軟且つ強靱な中央支持索３が筒状外装体４内で自在に移動することができ、これによって、袋内に入った避難者Ａに対応して袋半径に対して大幅な滑走路が確保されて、袋半径に比して大きな滑走路を有する救助袋１を構成することができる。
【００２４】
従って、理論的には救助袋１は内部に避難者の通過できる直径の幅があれば十分であるから、その幅を超える弛みを持つ幅の広い布地２により形成した滑走路により安全に避難でき、結果として、直径の小さい小型の避難袋を提供することができ、本発明に係る垂直式救助袋装置も小型に構成することができる。
また、中央支持索３は救助袋１内で直径方向に自在に移動するように緩やかに設けることが好ましい。
【００２５】
図示の実施例において、吊下枠１０は、建物３０の避難口３１に臨んで設けた固定収納枠体２０に、建物外壁３２から外方に張り出して救助袋１を垂下する手前側の入口枠１２の先端部に、入口枠１２に対して折り畳み可能且つ張出回転可能に連結して設けてあり、図１に記載のように、吊下枠１０を入口枠１２に折り畳んでから、順番に入口枠１２を吊下枠１０が裏側に位置するように固定収納枠体２０内に折り畳んで収容することができるように構成してある。
【００２６】
実施例の場合、入口枠１２には救助袋１の上端部側面に開口７を有する避難路袋体６が一体に取り付けてあり、避難者は入口枠１２により形成された入口１２ａから避難路袋体６を通って開口７から救助袋１内に入ることができるように構成してある。
入口枠１２は吊下枠１０より大きく構成してあり、避難者が入り易くしてあると共に、吊下枠１０から垂下した救助袋１も徐々に内径を大きくして避難路袋体６の底部が開口７との連結する部分では、それ以下の避難路部分と同様に十分な幅になるように構成してある。
【００２７】
また、入口枠１２と吊下枠１０とは断面８の字型の連結金具８により連結してあり、一方の枠体である吊下枠１０の底面に設けた水平規制ストッパが他方の枠体である入口枠１２の底面に当接することによって相互にほぼ水平を保って展開するように構成してある。
また、吊下枠１０には、入口枠１２に対して折り畳んだ状態で入口枠１２の先端部から突出して救助袋１の投下時に吊下枠１０の張出回転を補助する張出回転補助突起１３を設けてある。
【００２８】
また、本発明実施例の場合、入口枠１２は、固定収納枠体２０に対して渡り枠１４を介して設けてあり、渡り枠１４によって建物外壁３２の厚みや出っ張り等の外壁構造に対応した幅の避難路を確保し、入口枠１２と吊下枠１０の張出位置を決め、建物外壁３２に対する救助袋１の間隔を適宜に設定することができるように構成してある。
【００２９】
渡り枠１４の基端部には、固定収納枠体２０の底枠部２１に軸受部材２２により回転自在に軸受された回転基軸１５が一体に設けてあり、図１に記載のように、起立状態に折り畳み、投下回転時に円滑に迅速に回転可能に設けてある。渡り枠１４内には補強板１６により補強されたパイプ１７が設けてある。
【００３０】
渡り枠１４と入口枠１２とは、入口枠１２と吊下枠１０の連結金具８の場合と同様に、断面８の字型の連結金具１８により連結してあり、一方の枠体である入口枠１２に設けた水平規制ストッパが他方の枠体である渡り枠１４に当接することによって相互に水平を保って展開するように構成してある。
【００３１】
また、吊下枠１０の先端角部には、索連結枠部２３が設けてあり、救助袋１の外周支持索５の上端部を連結してあると共に、固定収納枠体２０の側部前枠２４の上部固定枠部２５との間に吊り索２６を連結してあり、展開状態において吊下枠１０がほぼ水平を維持して張出するように構成してある。
また、吊下枠１０の後端角部に設けた救助袋１の外周支持索５の上端部を連結してある索連結枠部２７と、入口枠１２の先端角部の索連結枠部２８には、上部固定枠部２９との間に吊り索３３を連結して、入口枠１２がほぼ水平に張出し得るように構成してある。
【００３２】
また、入口枠１２の後枠部には補強枠３４と索連結枠部３５が設けてあり、避難路袋体６の開口部を取付け固定してあり、索連結枠部３５には吊り索を取り付けて上部固定枠部２５又は２９に連結して渡り枠１４のほぼ水平な張出状態を維持するようにすることも可能である。なお、実施例の場合、渡り枠１４は固定収納枠体２０の前底部枠３６に底面を支持されて張出状態でほぼ水平を維持するように構成してある。
【００３３】
また、本発明に係る救助袋装置によれば、渡り枠１４の渡りパイプ１７には、建物外壁３２の避難口３１に臨んで設けた固定収納枠体２０内に位置して、収容した救助袋１の下端部に設けた落下誘導紐９を伴って落下する錘１９を建物外壁の外方に投擲する錘投擲手段５０を設けてある。
図示の実施例の場合、錘投擲手段５０は、図４乃至図６に記載のように、基端部を中心に自重により建物外壁３２の外方に向かって回転する、回転腕部５１と、回転腕部５１の先端部に設けた錘１９を投擲可能に保持する錘保持部５２とからなる。
【００３４】
実施例の場合、回転腕部５１は図５及び図６に記載のように板状体からなり、その中間部には、長さ調整可能に連結する伸縮連結部５３が設けてあり、設置場所から建物外方までの距離、建物外壁の厚さに応じて回転腕部５１の長さを調整して確実に錘１９を投下することができるように構成してある。
伸縮連結部５３は、実施例の場合、長手方向に沿ってスライド自在に嵌合する溝部５４にスライド孔５５が設けてあり、スライド孔５５に嵌合して設けたボルト・ナット５６により、適宜な長さに調整して固定することができるように構成してある。
【００３５】
なお、この伸縮連結部５３の機構は、従来公知の種々の手段を採用することができると共に、回転腕部５１の形状も板状体に限定されるものではなく、伸縮自在なパイプ状の部材であっても良い。
回転腕部５１の基部には、連結時及び回転時に外れない程度に開口する着脱溝５７を有する軸受部５８を設けてあり、渡り枠１４に設けたパイプ１７に回転自在に装着して、先端の錘保持部５２の錘１９を回転腕部５１の回転に伴って遠心力により放物線を描いて確実に投下することができるように構成してある。
【００３６】
また、この実施例のように、錘投擲手段５０を救助袋１の投下に伴って建物外方に回転して張出する渡り枠１４の外側に設ける構成にすることにより、救助袋１の投下に伴って建物外方にまっ先に回転して張出する渡り枠１４より先に錘１９を投下することができると共に、投下後には図１に記載のように渡り枠１４の下側に位置するから避難の邪魔にならない。
なお、錘投擲手段５０の取付手段は、実施例の軸受部５８以外の通常の支軸であるパイプ１７を貫通させる軸受構造にすることも勿論可能であると共に、その装着場所も、渡り枠１４の回転基軸１５や専用に設けた支軸にすることも勿論可能である。
【００３７】
また、回転腕部５１は、図１及び図４に記載の実施例の場合、中央部が外側に突出した湾曲部分を有する構成に設けてあり、湾曲部分に投擲時に除去されるストッパーやカバー体を設けることによって、錘保持部５２をストッパーやカバー体に当接しないように回転腕部５１の内側に位置して設置することができる。
図１，図４、図１２に記載の実施例の場合、ストッパーとして固定収納枠体２０に設けたカバー体６０を、回転腕部５１の湾曲部に当接してあり、避難時に、ストッパーとしてのカバー体６０が下方又は上方に避退して開放すると、錘投擲手段は、自動的に外方に向かって回転するように構成してある。
【００３８】
図１に記載のカバー体６０は、固定収納枠体２０の側部前枠２４と側部後枠３７の内側に設けたレールに沿って収納した救助袋１の前後を覆ってスライド自在に設けた蛇腹式の屈曲可能なカバー体からなり、カバー体６０の前カバー部分の下端部６１に錘を設けておき、錘に抗してストッパーで固定していたカバー体６０を解放して、図のように、カバー体６０を固定収納枠体２０の下方室内空間にスライドして落下させ避退することができるように構成してある。
また、図１２に記載のカバー体６０は、固定収納枠体２０の天井部２０ａと背面部２０ｂと床板部２０ｃにより収納した救助袋１を覆うと共に、その内側に設けたレールに沿って収納した救助袋１の前後を覆ってスライド自在に設けた蛇腹式の屈曲可能なカバー体６０からなり、カバー体６０の後カバー部分の下端部６１ａに錘を設けておき、錘に抗してストッパーで固定していたカバー体６０を解放して、図のように、カバー体６０を床板部２０ｃの下方室内空間にスライドして落下させ避退することができるように構成してある。
【００３９】
従って、この場合、避難者は、カバー体６０のストッパーを外せば、カバー体６０が除去され、錘投擲手段５０が錘１９を建物外方に放出し、落下誘導紐９に連動して救助袋１は順次に落下して、渡り枠１４、入口枠１２、吊下枠１０が回転して図３に記載のように垂下されることとなり、ワンタッチ、一動作で救助袋１を展開し避難することができる。
また、図１２のように、カバー体６０が後方に避退する場合には、カバー体６０がストッパーとして前面２０ｄから避退するから、錘投擲手段５０がそれだけ早い時点で作動することとなり、例えば、カバー体６０が後方に落下した段階で、既に救助袋１が垂下されていることも可能であり、且つ、錘投擲手段５０のストッパーとしては、固定収納枠体２０の前面２０ｄから上方に避退した段階で錘投擲手段５０は作動することとなる。
【００４０】
なお、実施例の錘投擲手段５０において、回転腕部５１の基部に、パイプ１７に巻き回したコイルバネの一端を固定して、回転腕部５１に外方への回転力を付勢して、自重だけではなくバネ弾力で回転するように構成することも勿論可能である。この場合には、回転腕部５１とパイプ１７との間にストッパーを設けて、該ストッパーを解除して錘を投擲することができる。
また、錘投擲手段５０の他の実施例としては、カバー体の有無に関わらずに錘１９をバネ弾力や圧縮空気弾力で放出する錘投擲手段を採用することも勿論可能であり、この場合、錘投擲手段は錘１９と共に落下するように構成することも可能である。
【００４１】
次に、図示の実施例において、錘保持部５２は、回転腕部５１の先端の手首部６２にヒンジ５９、６３により一定回転可能に設けた外側と内側の２枚の保持部材６４，６５からなり、砂袋のように柔軟性のある錘をその間に保持できると共に、回転腕部５１の回転の最後に錘１９を手首部６２を中心に回転する保持部材６４，６５によりスナッピーに投擲することができるように構成してある。６６、６８はそれぞれ保持部材６４，６５の取付基部で、ボルトナット等の固定部材６７により回転腕部５１の先端部に固定してある。
【００４２】
また、内側の保持部材６５は外側の保持部材６４より長く構成してあり、外側より長い内側の保持部材６５により外側の短い保持部材６４の先端部を越えて錘１９をスナッピーに確実に投擲することができるように構成してある。
また、本発明の錘１９は砂袋等の柔軟性を有する構成からなり、錘が地面や外壁等に衝突したとしても損傷を与えない安全性が得られるように構成してある。柔軟性のある錘の実施例としては、内部に粒体を入れた枕状のもの、錘の外周をゴム又はスポンジ状の柔軟性のある物体で覆ったもの、水袋状のもの等、適宜に変形して保持し易いものが好ましい。
【００４３】
また、本発明に係る垂直式救助袋装置においては、固定収納枠体２０の側部後枠３７に、入口枠１２又は吊下枠１０が当接して入口枠１２の折り畳み角度を規制する折り畳み角度規制部材４０を設けてある。
折り畳み角度規制部材４０は、実施例の場合、固定収納枠体２０内に突出するストッパ３８を具備し、図１に記載の折り畳み状態で、救助袋１を折り畳んで載置するときの吊下枠１０、入口枠１２の傾きを規制して、救助袋１の安定した載置状態の確保と共に、投下時に、救助袋１の最終落下状態において、救助袋１に引っ張られて、入口枠１２が円滑に回転して、全体が一動作で張出し得るように構成してある。
【００４４】
ストッパ３８の垂直部３９が蝶番式の軸部として蝶番部４１に回転自在に固定してあり、蝶番部４１は側部後枠３７に垂直方向に設けたスライド溝４２に沿って上下位置決め自在に設けてあり、スライド溝４２内に回転することなくスライド自在に設けた固定用ナットを固定ボルト４３により締め付けて、任意の位置に固定することができるように構成してある。
【００４５】
上記の本発明実施例の構成において、図３に記載の固定収納枠体２０内に、折り畳み角度規制部材４０のストッパ３８によって、入口枠１２がほぼ水平若しくはやや左下がりな姿勢が規制された状態で、吊下枠１０が入口枠の下側に三角形の大きな空間を画成して、その先端を渡り枠１５の基部に位置せしめてあり、入口枠１２を通して吊下枠１０の上に救助袋１を上端部側から取り込んで載置しておくことができ、救助袋１の積み上げ高さを低く収納し、投下時には、ストッパーとしてのカバー体６０が下方に避退して開放すると、錘投擲手段５０は、自動的に外方に向かって回転して錘１９を落下誘導紐９を伴って投下し、落下誘導紐９に引っ張られた救助袋１は地上に近い位置に落下する最上部の折り畳み部分から投下される。
【００４６】
投下された救助袋１の重さと速度により、その最終段階で図３に記載のように吊下枠１０と入口枠１２が引っ張られて先ず渡り枠１４を伴って回転し、渡り枠１４がほぼ水平方向に入口枠１２と吊下枠１０が垂直方向に約９０度回転して張出した状態になり、次いで、入口枠１２が更にほぼ９０度水平方向に回転して張出し、次いで吊下枠１０がほぼ１８０度水平方向に回転して張出した状態になり、固定収納枠体２０側から見ると、建物３０の避難口３１に、渡り枠１４の先に避難路袋体６を有する入口枠１２が開口して、救助袋１に乗り込める状態になる。
【００４７】
この状態で、折り畳み角度規制部材４０のストッパ３８を回転させて、固定収納枠体２０の内側に突出しないように避退することにより、避難者の避難の邪魔にならないようにすることができる。
なお、底枠部２１の間には避難路が設けてあることは勿論であり、図１において、２１ａは底枠部２１の支柱、６９は固定収納枠体２０の下方床面で、カバー体６０は底枠部２１の隙間を通って下方床面６９上に落下するように設けてある。
【００４８】
図９、図１０、図１１に記載の他の実施例の場合、救助袋１は、建物３０の屋上に固定された固定収納枠体２０に収納され、図３のように吊下枠１０から垂下された状態で、図１１に記載のように、建物３０の途中階に設けた退避開口部３１ａに、筒状外装体４に設けた乗り込み口４ａが合致するように、乗り込み口４ａに連通する口枠体４ｂを一体に突設してある。
口枠体４ｂは、図１１では細長く記載してあるが、実際には、筒状外装体４の乗り込み口４ａと建物との５０ｃｍ以内程度の間隔を連結するものであり、袋体と同様な強靱な布地から成り、開口部４ｃの開口枠部の上部両端部を吊り紐４ｄにより筒状外装体４の斜め上部に吊下固定することにより、口枠部４ｂを維持するように構成してあり、開口部４ｃを建物３０の退避開口部３１ａに連結して、各階から救助袋１内に避難することができるように構成してある。
【００４９】
図９，図１０，図１２に記載の実施例の場合、固定収納枠体２０は、天井部２０ａと背面部２０ｂと床板部２０ｃにより収納した救助袋１を覆うと共に、側部前枠部２４の内側に救助袋１の前面を覆うカバー体６０を備えている。
図９に記載の実施例の場合、カバー体６０は、固定収納枠体２０の側部前枠２４に沿って床板部２０ｃの下方に落下可能にスライド自在に設けたカバー体からなり、カバー体６０の内側に錘投擲手段５０を設けて、ストッパー７０で固定されているカバー体６０を解放して、自重により固定収納枠体２０の下方室内空間にスライドして落下させ避退させると、錘投擲手段５０が作動して錘１９が投擲されるように構成してある。
図１２に記載の実施例の場合、前述の如く、カバー体６０は、固定収納枠体２０の側部前枠２４に沿って上方にスライド自在に設けたカバー体からなり、カバー体６０の内側に錘投擲手段５０を設けて、ストッパー７０で固定されているカバー体６０を解放して、後方に向かって固定収納枠体２０内を天井部２０ａまでスライドして上方に避退させると、錘投擲手段５０が作動して錘１９が投擲されるように構成してある。
【００５０】
従って、この場合、避難者は、カバー体６０のストッパー７０を外せば、カバー体６０が除去され、錘投擲手段５０が錘１９を建物外方に放出し、落下誘導紐９に連動して救助袋１は順次に落下して、落下の最終段階で渡り枠１４、入口枠１２、吊下枠１０が回転して図３に記載のように垂下されることとなり、ワンタッチ、一動作で救助袋１を展開し避難することができる。
従って、ストッパー７０はワンタッチ離脱機構を構成していることとなる。
また、この実施例の場合、ストッパー７０を一本の収納解放紐７１により階下から同時に操作することができるように構成してある。
また、収納解放紐７１の垂直部分は、建物外壁３２に固定して設けた案内管７３内を挿通して、各階の退避開口部３１ａに開口するように設けてある。７４は案内管７３を外壁２３に固定する固定具である。
【００５１】
各階の退避開口部３１ａにおいて案内管７３の操作開口部には、収納解放紐７１を階下から引っ張ってストッパー７０をワンタッチで外すことができるように、錘投擲手段５０の遠隔操作手段として救助取っ手７５が収納解放紐７１に一体に固定してある。
なお、救助取っ手７５に復帰ばねにより原位置に復帰する復帰機構を付与しておけば、ストッパー７０の復帰操作が容易になる。
なお、ストッパー７０の構成は、実施例の場合に限らず、例えば、ストッパーピンをばね弾力に抗して固定収納枠体２０側に取り付けてロックしておき、そのロックを収納解放紐７１を引くことにより解除すると、ばね弾力でピンが抜け落ちる機械的構成にすることや、電磁弁で作動する電気的構成にするように、従来公知の種々の構成を採用することができる。
【００５２】
収納解放紐７１は、固定収納枠体２０の前部前枠２４に設けたダブルローラ等からなるストップ機能付き等のガイド部材７２によって階下に案内されており、収納解放紐７１に設けたストッパー７０がダブルローラ等の間に係合して該紐７１の落下や離脱を阻止するように構成してある。
また、図示の実施例では、収納解放紐７１は、ほぼ水平方向から垂直方向に屈曲して案内されているが、水平方向部分はストッパー７０のピン等の差し込み方向によっては、上向き又は下向きに傾斜することもあるが、この場合、ダブルローラ等からなる離脱防止機能付きガイド部材７２によって案内されることにより、収納解放紐７１が落下や離脱を阻止されている。
【００５３】
なお、ストッパー７０の構成は、実施例の場合に限らず、例えば、ストッパーピンをばね弾力に抗して固定収納枠体２０側に取り付けてロックしておき、そのロックを収納解放紐７１を引くことにより解除すると、ばね弾力でピンが抜け落ちる機械的構成にすることや、電磁弁で作動する電気的構成にするように、従来公知の種々の構成を採用することができる。
なお、図９乃至図１１の実施例において、先の実施例と同じ構成部分については同一の符号を付して示してあり、その説明は省略してある。
【図面の簡単な説明】
【００５４】
【図１】本発明に関わる救助袋装置の一実施例の要部の概略縦断側面説明図。
【図２】その実施例の一要部を取り出して示す概略斜視図。
【図３】その実施例の他の要部の全体的な概略斜視図。
【図４】その実施例の他の要部の概略説明図。
【図５】その要部の概略側面図。
【図６】その要部の概略正面図。
【図７】救助袋の概略説明図。
【図８】救助袋の概略説明図。
【図９】本発明に関わる他の実施例の要部の概略縦断側面説明図。
【図１０】その実施例の全体的な概略説明図。
【図１１】その実施例の一要部を取り出して示す概略斜視図。
【図１２】その他の実施例の一要部を取り出して示す概略縦断側面説明図。
【符号の説明】
【００５５】
１      救助袋
２      布地
３      中央支持索
４      筒状外装体
５      外周支持索
６      避難路袋体
７      開口
８      連結金具
９      落下誘導紐
１０    吊下枠
１２    入口枠
１２ａ    入口
１３    張出回転補助突起
１４    渡り枠
１５    回転基軸
１６    補強板
１７    渡りパイプ
１８    連結金具
１９    錘
２０    固定収納枠体
２１    底枠部
２２    軸受部材
２３    索連結枠部
２４    側部前枠
２５    上部固定枠部
２６    吊り索
２７    索連結枠部
２８    索連結枠部
２９    上部固定枠部
３０    建物
【００５６】
３１    避難口
３２    建物外壁
３３    吊り索
３４    補強枠
３５    索連結枠部
３６    前底部枠
３７    側部後枠
３８    ストッパ
３９    垂直部
４０    折り畳み角度規制部材
４１    蝶番部
４２    スライド溝
４３    固定ボルト
５０    錘投擲手段
５１    回転腕部
５２    錘保持部
５３    伸縮連結部
５４    溝部
５５    スライド孔
５６    ボルト・ナット
５７    着脱溝
５８    軸受部
５９    ヒンジ
【００５７】
６０    カバー体
６１    下端部
６２    手首部
６３    ヒンジ
６４    保持部材
６５    保持部材
６６    取付基部
６７    固定部材
６８    取付基部
６９    下方床面
７１    収納解放紐
７２    ガイド部材
７３    案内管
７４    固定具
７５    救助取っ手
【図１】
2005237718.tif 000003
【図２】
2005237718.tif 000004
【図３】
2005237718.tif 000005
【図４】
2005237718.tif 000006
【図５】
2005237718.tif 000007
【図６】
2005237718.tif 000008
【図７】
2005237718.tif 000009
【図８】
2005237718.tif 000010
【図９】
2005237718.tif 000011
【図１０】
2005237718.tif 000012
【図１１】
2005237718.tif 000013
【図１２】
2005237718.tif 000014